(57)【特許請求の範囲】
【請求項１】
パチンコ遊技機の遊技盤を備える遊技機本体が被着される矩形外枠を、
アルミダイキャストによる一体成形により、上下端に内方へ突出する断面ロ字状連結リブが突成され、さらに左右一方の上端には遊技機本体を開閉自在に枢支するためのヒンジ部が前方へ突成され、左右他方の内面には、遊技機本体のフックが係合する係止突片が突成されてなる左右の縦枠杆と、
両端に連結リブに内嵌して固定される嵌入突部が形成され、かつ上下方向に貫通する釘孔が形成された、縦枠杆対の上下端に差し渡されて固定される上下の合成樹脂製横枠杆とで構成したことを特徴とするパチンコ遊技機。
【発明の詳細な説明】
【０００１】
【発明の属する技術分野】
本発明は、パチンコ遊技機の枠構造に関するものである。
【０００２】
【従来の技術】
パチンコ遊技機は、図１，２で示すように、下部に受皿６，発射ハンドル７等の部材を、前枠３に保持した遊技機本体２を、外枠１に前方から取付け、本体２の裏面に装備した種々の機構を外枠１で囲繞して構成される。
かかる構成にあって、従来の外枠ａは、図６で示すように、ラワンやベニヤ等の木材からなり、左右の木製縦枠杆ｂ，ｂと、上下の木製横枠杆ｃ，ｃとを上部コーナーにてＬ形金具ｄ，ｄ’を用いて、釘打ちにより固定し、下部コーナにて、その内側で、直角三角形の補強部材ｅ，ｅを固着して組み付けられる。さらに、一方の縦枠杆ｂの内面には、遊技機本体２に装着された可動フック９，９（図５参照）が係止される金属製のＬ形係止突片ｆ、ｆを固着し、その係合作用により、外枠ａに対して遊技機本体２を連結するようにしている。また、該外枠ａの一側の上部角に固着されたＬ形金具ｄ’には、前方へヒンジ部ｇが突成され、その軸孔ｈに通した連係軸により遊技機本体２を開閉可能に支持するようにしている。この外枠ａは、上下の横枠杆ｃ，ｃが木材であるから、遊技場内で釘打ちにより設置島に組み付けられる。
【０００３】
【発明が解決しようとする課題】
かかる従来構成にあっては、外枠ａを縦枠杆ｂ，ｂ及び横枠杆ｃ，ｃをコーナーでＬ形金具ｄ，ｄ’、及び補強部材ｅ，ｅを釘打ちして連結される。このため、その組み付けが面倒であり、しかも、昨今の遊技機本体２は、各種の駆動部材を装架することとなって、大重量化しつつあり、このため強度の向上が求められている。
本発明は、組み付け容易で、堅牢な矩形外枠を提供することを目的とするものである。
【０００４】
【課題を解決するための手段】
本発明は、パチンコ遊技機の遊技盤を備える遊技機本体が被着される矩形外枠を、アルミ鋳造品（アルミダイキャスト）からなり、上下端に内方へ突出する連結リブを突成してなる左右の縦枠杆と、縦枠杆対の上下端に差し渡されて、両端を夫々連結リブに固結される上下の横枠杆とで構成したものである。
【０００５】
かかる構成にあって、縦枠杆と横枠杆間のコーナーを、アルミ鋳造品からなる縦枠杆に一体的に形成した連結リブにより構成し、該連結リブに横枠杆を連結することにより組み付けるようにしたものである。このため、充分な組み付け強度を保持することができる。また、かかる強度保証により、従来構成のようにＬ形金具ｄ，ｄ’や直角三角形の補強部材を用いる必要もない。
【０００６】
ここで、縦枠杆と横枠杆との連結手段として、縦枠杆の連結リブを断面ロ字状とし、横枠杆の両端に嵌入突部を形成し、該嵌入突部を連結リブに内嵌して固定する構成が提案される。
【０００７】
横枠杆は合成樹脂製とし、これにより外枠の大重量化を抑止することができる。特に、この横枠杆は、設置島に並設して組み付ける場合に、台部や連結桟に釘打ち固定されることとなるが、これを可能とするために、長孔状の釘孔等を形成するのが容易となる。
【０００８】
また、一方の縦枠杆の内面に、遊技機本体を連係する係止突片を突成するようにしてもよい。さらに、従来構成では、縦枠杆の内面には、遊技機本体に装着された可動フックが係止される金属製のＬ形係止突片を固着することとなるが、アルミ鋳造品による一体成形によって、容易に係止突片を形成することができ、金属製Ｌ形係止突片の固着作業を要せず、しかも高い強度を実現することができる。
【０００９】
さらに一方の縦枠杆の上端に、遊技機本体を回動可能に枢支するヒンジ部が前方へ突成されている。すなわち、該ヒンジ部の軸孔に挿通される連係軸を中心として遊技機本体は、開閉自在に、矩形外枠に装着されることとなる。このヒンジ部は、遊技機本体の解放時に、該本体の全荷重を支持するものであるが、アルミ鋳造品からなる縦枠杆と一体的に形成されているから、充分な保持強度を保証し得ることとなる。
【００１０】
【発明の実施の形態】
添付図面について本発明の一実施例を説明する。
図１〜３にあって、パチンコ遊技機１は、遊技機本体２を、矩形外枠１０に被着してなり、ヒンジにより外枠１０に対して遊技機本体２を開閉可能とし、遊技機本体２の背部の各機器の保守管理を容易とするようにしている。また遊技機本体２の前面枠３の遊技窓孔内には遊技盤５が配設され、かつ前面枠３の下部には、玉受皿６や、発射ハンドル７等が設けられている。
【００１１】
このように矩形外枠１０は、パチンコ遊技機の遊技盤を備える遊技機本体２が被着されるものであって、本発明の要部に係る。この矩形外枠１０の構成を図３〜５に従って説明する。
矩形外枠１０は、左右の縦枠杆１１ａ，１１ｂと上下の横枠杆２０ａ，２０ｂとを組み付けて構成される。ここで、縦枠杆１１ａ，１１ｂはアルミ鋳造品（アルミダイキャスト）からなり、上下端には内方へ突出する連結リブ１２，１２を連成している。この連結リブ１２，１２は、断面ロ字状の扁平管形状を呈しており、その側面には連結孔１３，１３が形成される。また、縦枠杆１１ａ，１１ｂの内面は、厚み寸法を、従来の木枠の寸法と同じとし、かつ、その実質肉厚を、均一かつ薄く保つために、成形溝面１４が形成され、かつその強度を保つために横及び斜め方向の補強リブ１５を形成している。また、一方の縦枠杆１１ａには、遊技機本体２を開閉自在に枢支するために軸孔１７を備えたヒンジ部１６が突成されている。さらに、縦枠杆１１ｂの内面には、遊技機本体２を連係する係止突片１８が内方へ突成されている。
【００１２】
一方、横枠杆２０ａ，２０ｂは、合成樹脂材料からなり、その両端には連結リブ１２，１２に内嵌する嵌入突部２１，２１が突成されている。この嵌入突部２１，２１の側部には、連結リブ１２，１２の連結孔１３，１３から固定螺子が螺合する螺子孔２２，２２が形成されている。また、左右位置で設置島に組み付けるための釘孔２３，２３が長手方向に沿って形成されている。このように横枠杆２０ａ，２０ｂは、合成樹脂成形体により形成されるから、釘孔２３，２３などの成形を容易に行うことができる。
【００１３】
かかる構成にあって、上下の横枠杆２０ａ，２０ｂの両端に形成した嵌入突部２１，２１を、各縦枠杆１１ａ，１１ｂの上下の連結リブ１２，１２に内嵌し、連結孔１３，１３から取付螺子を螺子孔２２，２２へ螺合することにより、矩形外枠１０が組み付けられる。そしてこの組み付け状態で、縦枠杆１１ａに形成したヒンジ部１６の軸孔１７に挿通した連係軸により遊技機本体２を開閉可能に支持し、さらに図５で示すように、遊技機本体２に設けられた可動フック９を係止突片１８に係合する。これにより、矩形外枠１０の前部に遊技機本体２が装着され、かつ遊技盤面５の裏面に設けられた、各種の部材が矩形外枠１０内に臨むこととなる。
【００１４】
このように矩形外枠１０は連結リブ１２，１２への嵌入突部２１，２１の内嵌と、螺子止めにより組み付けられるものであり、金具などの別部材を要せず．部品点数が少なくなって、矩形外枠１０の低廉化を可能とすると共に、組付けが容易となる。
【００１５】
そして、このように組み付けられた矩形外枠１０は、横枠杆２０ａ，２０ｂに形成された各釘孔２３を利用して、設置島に並設されることとなる。
【００１６】
かかる構成の矩形外枠１０にあって、縦枠杆１１ａ，１１ｂはアルミ鋳造品（アルミダイキャスト）により形成されているため、剛性が強い。しかも、この矩形外枠１０は、補強リブ１５とヒンジ部１６とにより、遊技機本体２の全重量を支持することとなるが、各補強リブ１５，ヒンジ部１６は、アルミ鋳造品として縦枠杆１１ａ，１１ｂと一体成形されているから、別部材のＬ形金具を用いることなく、所要の保持強度を確保することができる。
【００１７】
一方、横枠杆２０ａ，２０ｂは合成樹脂材料により成形されている。
このため、矩形外枠１０全体を軽量とすることができる。また、釘孔２３，２３等の成形が容易となる。
【００１８】
【発明の効果】
本発明は、上述したように、遊技機本体が被着される矩形外枠を、アルミ鋳造品（アルミダイキャスト）からなり、上下端に内方へ突出する連結リブを突成してなる左右の縦枠杆と、上下の連結リブ間に差し渡されて、両端を夫々連結リブに固結される上下の横枠杆とで構成し、アルミ鋳造品（アルミダイキャスト）で縦枠杆に一体的に形成した連結リブを介して横枠杆を連結することにより、充分な組み付け強度を保持することができる。
【００１９】
また、縦枠杆と横枠杆との連結手段として、縦枠杆の連結リブを断面ロ字状とし、横枠杆の両端に嵌入突部を形成し、該嵌入突部を連結リブに内嵌して固定することにより構成した場合には、内嵌作業と、螺子止めなどにより、容易に組み付けることができる。
【００２０】
ここで、横枠杆は合成樹脂製とした場合には、外枠の大重量化を抑止することができ、かつ長孔状の釘孔等の形成により、設置島への組み付け容易な最適形状に成形することが容易となる。
【００２１】
また、縦枠杆の内面に、アルミ鋳造品（アルミダイキャスト）による一体成形によって、遊技機本体を連係する係止突片を形成した場合には、金属製Ｌ形係止突片の固着作業を要することなく、遊技機本体宇の荷重を支持し得る高い強度を実現することができる。
【００２２】
さらにまた、一方の縦枠杆の上端に、遊技機本体を回動可能に枢支するヒンジ部を一体的に前方突成した場合には、ヒンジ部は、遊技機本体の開放時に、該本体の全荷重を支持することとなるが、アルミ鋳造品（アルミダイキャスト）からなる縦枠杆と一体的に形成されているから、充分な保持強度を保証し得ることとなる。
【図面の簡単な説明】
【図１】本発明に係るパチンコ遊技機の正面図である。
【図２】本発明に係るパチンコ遊技機の側面図である。
【図３】矩形外枠１０の分離斜視図である。
【図４】矩形外枠１０の組み付け状態を示す斜視図である。
【図５】遊技機本体２の被着状態を示す要部の拡大斜視図である。
【図６】従来構成の外枠の斜視図である。
【符号の説明】
２  遊技機本体
１０  矩形外枠
１１ａ，１１ｂ  縦枠杆
１２，１２  連結リブ
１６  ヒンジ部
１８  係止突片
２０ａ，２０ｂ  横枠杆
２１，２１  嵌入突部
２３，２３  釘孔
【図１】
0003762262.tif 000002
【図２】
0003762262.tif 000003
【図３】
0003762262.tif 000004
【図４】
0003762262.tif 000005
【図５】
0003762262.tif 000006
【図６】
0003762262.tif 000007